(57)【要約】【課題】表示側ケースは操作側ケースに対してスライドするとともに斜めに開けられるスライド式電子装置を提供すること。【解決手段】本発明に係るスライド式電子装置は、操作側ケースと、前記操作側ケース上に重ね合わせて設置される表示側ケースと、前記表示側ケースと前記操作側ケースとの間に設置されるチルト機構と、を備えてなる。前記チルト機構は、回転支持部材及び両端は相対的に回転でき且つ前記表示側ケースに回転不能に固着されるヒンジ部材を含む。前記回転支持部材の一端は前記操作側ケースに回転可能に枢着され、前記回転支持部材の他端は前記ヒンジ部材と回転不能に係合される。前記表示側ケースは前記回転支持部材を巡って回転するとともに前記ヒンジ部材をロック状態から解除させて、前記表示側ケースは前記操作側ケースに対してスライドするとともに斜めに開けられる。【選択図】図１
2011166742.tif 000002
【特許請求の範囲】
【請求項１】
操作側ケースと、
前記操作側ケース上に重ね合わせて設置される表示側ケースと、
前記表示側ケースと前記操作側ケースとの間に設置されるチルト機構と、
を備えてなるスライド式電子装置において、
前記チルト機構は、回転支持部材及び両端が相対的に回転でき且つ前記表示側ケースに回転不能に固着されるヒンジ部材を含み、
前記回転支持部材の一端は前記操作側ケースに回転可能に枢着され、前記回転支持部材の他端は前記ヒンジ部材と回転不能に係合され、
前記表示側ケースは前記回転支持部材を巡って回転するとともに、前記ヒンジ部材をロック状態から解除させて、前記表示側ケースは前記操作側ケースに対してスライドするとともに斜めに開けられることを特徴とするスライド式電子装置。
【請求項２】
前記スライド式電子装置は従動ロッドをさらに含み、前記従動ロッドの両端はそれぞれ前記表示側ケースと前記操作側ケースとに回転するように枢着されることを特徴とする請求項１の記載のスライド式電子装置。
【請求項３】
前記表示側ケースは前記操作側ケースに対して閉じられると、前記回転支持部材は前記ヒンジ部材のトルクにより前記表示側ケースに相対的に折り畳まれ、
前記表示側ケースは前記操作側ケースに対して開けられると、前記回転支持部材は前記ヒンジ部材のトルクにより前記表示側ケースに対して所定のリバーサル角度を形成することを特徴とする請求項１に記載のスライド式電子装置。
【請求項４】
前記ヒンジ部材は、スリーブ及び前記スリーブ内に部分的に収納される主軸を含み、
前記スリーブは前記表示側ケースに固着され、前記主軸は前記回転支持部材に回転不能に固定されることを特徴とする請求項１に記載のスライド式電子装置。
【請求項５】
前記主軸は回転止め部を含み、前記回転支持部材の一端には２つの収容部が設置され、もう一端には２つの第一枢着部が設置され、
前記第一枢着部は前記操作側ケースに回転可能に枢着され、前記収容部は前記回転止め部と回転不能に係合することを特徴とする請求項４に記載のスライド式電子装置。
【請求項６】
前記スライド式電子装置は前記操作側ケース上に設置される２つの止め部をさらに含み、前記表示側ケースは前記操作側ケースに対して開けられた後に、前記止め部に当止されることを特徴とする請求項１に記載のスライド式電子装置。
【請求項７】
操作側ケースと、
前記操作側ケース上に重ね合わせて設置される表示側ケースと、
前記表示側ケースと前記操作側ケースとの間に設置されるチルト機構と、
を備えるスライド式電子装置において、
前記チルト機構は、回転支持部材及び両端は互いに対して回転でき且つ前記表示側ケースに回転不能に固定されるヒンジ部材を含み、
前記回転支持部材の一端は前記操作側ケースに回転可能に枢着され、前記回転支持部材の他端は前記ヒンジ部材と回転不能に係合され、
前記表示側ケースを前記操作側ケースに対して閉じる際に、前記回転支持部材は前記ヒンジ部材のトルクにより前記表示側ケースに対して折り畳まれ、
前記表示側ケースを前記操作側ケースに対して開ける際に、前記チルト機構のために前記表示側ケースの一端はスライドすると共に前記操作側ケースに対してリバーサルし、前記回転支持部材は前記ヒンジ部材のトルクに駆動されて、前記表示側ケースに対して所定の開き角度が形成されることを特徴とするスライド式電子装置。
【発明の詳細な説明】
【技術分野】
【０００１】
本発明はスライド式電子装置に関し、特に表示側ケースが操作側ケースに対してスライドするとともに斜めに開けられるスライド式電子装置に関するものである。
【背景技術】
【０００２】
現在市販されている電子装置は、一般的には、相対的に回転するかまたは相対的にスライドできる表示側ケース及び操作側ケースを含む。例えば、スライド式電子装置においては、前記表示側ケースを前記操作側ケースに対してスライドさせることができる。
【発明の概要】
【発明が解決しようとする課題】
【０００３】
従来のスライド式電子装置において、上筐体と下筐体とは単に水平方向にスライドして開閉するので、使用する時に、露出されたキーボード部は表示スクリーンと略同一表面に保たれて、ユーザーは表示スクリーンの画面を容易に閲覧できず、非常に不便である。
【０００４】
また、通信技術の飛躍的な発展に伴い、携帯電子装置のデザインに対する要求も段々高くなり、前記携帯電子装置における上筐体と下筐体との間の開閉機構は、携帯電子装置のデザインに関する重要な要素になった。従来の折り畳み式または縦方向スライド式以外の新しい開閉機構を備えた電子装置が望まれている。
【０００５】
以上の問題点に鑑みて、本発明の目的は、表示側ケースが操作側ケースの短手方向に沿ってスライドするとともに斜めに開けられるスライド式電子装置を提供することにある。
【課題を解決するための手段】
【０００６】
上記の目的を達成するために、本発明に係るスライド式電子装置は、操作側ケースと、前記操作側ケース上に重ね合わせて設置される表示側ケースと、前記表示側ケースと前記操作側ケースとの間に設置されるチルト機構と、を備えてなる。前記チルト機構は、回転支持部材及び両端は相対的に回転でき且つ前記表示側ケースに回転不能に固着されるヒンジ部材を含む。前記回転支持部材の一端は前記操作側ケースに回転可能に枢着され、前記回転支持部材の他端は前記ヒンジ部材と回転不能に係合される。前記表示側ケースは前記回転支持部材を巡って回転するとともに前記ヒンジ部材をロック状態から解除させて、前記表示側ケースは前記操作側ケースに対してスライドするとともに斜めに開けられる。
また、本発明に係るスライド式電子装置は、操作側ケースと、前記操作側ケース上に重ね合わせて設置される表示側ケースと、前記表示側ケースと前記操作側ケースとの間に設置されるチルト機構と、を備える。前記チルト機構は、回転支持部材及び両端は互いに対して回転でき且つ前記表示側ケースに回転不能に固定されるヒンジ部材を含む。前記回転支持部材の一端は前記操作側ケースに回転可能に枢着され、前記回転支持部材の他端は前記ヒンジ部材と回転不能に係合される。前記表示側ケースを前記操作側ケースに対して閉じる際に、前記回転支持部材は前記ヒンジ部材のトルクにより前記表示側ケースに対して折り畳まれる。前記表示側ケースを前記操作側ケースに対して開ける際に、前記チルト機構のために前記表示側ケースの一端はスライドすると共に前記操作側ケースに対してリバーサルし、前記回転支持部材は前記ヒンジ部材のトルクに駆動されて、前記表示側ケースに対して所定の開き角度が形成される。
【発明の効果】
【０００７】
本発明に係るスライド式電子装置において、前記表示側ケースと前記操作側ケースとの間には、回転支持部材及び連結部材を含むチルト機構が設置されており、且つヒンジ部材を介して前記回転支持部材と前記連結部材との間の開放角度又は閉鎖角度をコントロールすることにより、前記表示側ケースを前記操作側ケースに対して斜めに開ける又は閉鎖する。従って、本発明のスライド式電子装置は卓上に置かれても、ユーザーは表示側ケースの表示スクリーンに表示される画面をはっきりと見ることができる。
【図面の簡単な説明】
【０００８】
【図１】本発明の実施形態に係るスライド式電子装置の立体分解図である。
【図２】図１に示すスライド式電子装置を別の視角から見た立体分解図である。
【図３】図１に示すスライド式電子装置のヒンジ部材の立体分解図である。
【図４】図３に示すヒンジ部材を別の視角から見た立体分解図である。
【図５】図１に示すチルト機構が表示側ケースに装着された状態を示す図である。
【図６】図１に示すスライド式電子装置が組み立てられた後の閉じられた状態での立体斜視図である。
【図７】図６に示すスライド式電子装置が開いた状態での正面斜視図である。
【図８】図６に示すスライド式電子装置が開いた状態での背面斜視図である。
【発明を実施するための形態】
【０００９】
図１及び図２に示すように、本発明の実施形態に係るスライド式電子装置１００は、操作側ケース１０と、表示側ケース２０と、チルト機構３０と、従動ロッド５０と、を備える。
【００１０】
前記操作側ケース１０の前記表示側ケース２０に対面する上面１１には、２つの止め部１３、２つの第一取付凹所１５及び１つの第二取付凹所１７が設けられる。前記２つの止め部１３は、前記上面１１に突設されるので、前記表示側ケース２０が前記操作側ケース１０に対して斜めに開けられる際、前記表示側ケース２０の一端は前記止め部１３に当止される。前記２つの第一取付凹所１５は、前記操作側ケース１０の長手方向の片側（長手方向に対する左右方向の一方側）に互いに離間して設けられる。前記第二取付凹所１７は、前記操作側ケース１０の短手方向の片側（短手方向に対する左右方向の一方側）に設けられる。前記第一取付凹所１５内に第一固定軸１５１が装着され、前記第二取付凹所１７内に第二固定軸１７１が装着される。
【００１１】
前記表示側ケース２０は略矩形を呈し、前記表示側ケース２０の前記操作側ケース１０に対面する表面には、２つの第一収容溝２０２及び２つの第二収容溝２０４が開設されている。前記２つの第一収容溝２０２は、前記表示側ケース２０の短手方向の両側（短手方向に対する左右両側）に対称的に開設される。前記２つの第二収容溝２０４は、それぞれ対応する前記第一収容溝２０２に隣接して前記表示側ケース２０の短手方向の両側に対称的に開設される。各第一収容溝２０２内に第一位置決め軸２０３が装着され、各第二収容溝２０４内に第二位置決め軸２０５が装着される。
【００１２】
前記チルト機構３０は、回転支持部材３１、連結部材３３及び２つのヒンジ部材３５を含む。前記回転支持部材３１の一端には、略円筒状を呈する２つの収容部３１１が設置され、前記回転支持部材３１の他端には、略柱状である２つの第一枢着部３１３が設置される。前記収容部３１１の中部は、中空部３１１１である。前記第一枢着部３１３は、前記収容部３１１から遠ざかる方向へ延在され、且つその端部には軸穴３１３１が設けられる。前記軸穴３１３１により、前記第一枢着部３１３を前記第一固定軸１５１に枢着する。前記連結部材３３の２つの端部の相対向する両側には、取付用筒３３１及び第二枢着部３３３がそれぞれに設置されている。前記取付用筒３３１の一端は密封されて、前記ヒンジ部材３５を収納するために用いられる。前記第二枢着部３３３には、軸穴３３５が設けられている。前記軸穴３３５により、前記第二枢着部３３３を前記第二位置決め軸２０５に枢着する。
【００１３】
図３及び図４に示すように、前記ヒンジ部材３５は、スリーブ３５１、主軸３５３、従動部材３５５、スプリング３５７及びワッシャー３５９を備える。前記ヒンジ部材３５は、前記回転支持部材３１と前記連結部材３３とを連結し、且つ両者を互いに相対的に開放させるか或いは閉鎖させるために用いられる。
【００１４】
前記スリーブ３５１は、前記取付用筒３３１内に移動不能に装着される。前記スリーブ３５１の内周面には、前記前記スリーブ３５１の長手方向に沿って延在するスライド溝３５１１が設けられ、前記スリーブ３５１の一端には、貫通孔３５１３が設けられる。
【００１５】
前記主軸３５３は、前記主軸３５３の一端に設置される回転止め部３５３１、前記主軸３５３の他端に設置されるフランジ３５３３及び前記回転止め部３５３１に近接して設置される主動部材３５３２を含む。前記回転止め部３５３１は、前記収容部３１１の中空部３１１１内に回転不能に固定される。前記主動部材３５３２は、柱状体である基体部３５３４及び前記基体部３５３４の両端から前記主軸３５３の外周面に沿って対称的に延伸される２つの山形部３５３５を含む。前記山形部３５３５は、頂部３５３６を有する。
【００１６】
前記従動部材３５５は、略柱状体であり、前記従動部材３５５の一端にはカム面３５５２が設置され、前記従動部材３５５の他端には平坦な端面３５５３が形成される。前記端面３５５３の中部には、それを貫通する円形孔３５５１を有する。図４に示されたように、前記カム面３５５２は、対称的に設置される２つの凹谷３５５４、対称的に設置される２つの凸峰３５５５及び前記凹谷３５５４と前記凸峰３５５５との間に形成される２つの斜面３５５６から構成される。前記従動部材３５５の外周面には、その縦長方向に沿って突起部３５５７が設置される。前記突起部３５５７は、前記スリーブ３５１のスライド溝３５１１に沿ってスライドすることができ、従って前記スリーブ３５１に対する前記従動部材３５５のスライドを実現する。
【００１７】
前記スプリング３５７は、螺旋状を呈する。前記スプリング３５７を前記スリーブ３５１内に収納すると、前記スプリング３５７の一端は前記従動部材３５５の端面３５５３に当止され、前記スプリング３５７の他端は前記スリーブ３５１の底部に当止される。
【００１８】
前記ヒンジ部材３５を組み立てる場合、前記主軸３５３を前記貫通孔３５５１、前記スプリング３５７及び前記貫通孔３５１３を順次貫かせて、前記山形部３５３５は前記カム面３５５２の凹谷３５５４に係合され、且つ前記スリーブ３５１の貫通孔３５１３から差し出された前記フランジ３５３３は前記ワッシャー３５９によって係止される。
【００１９】
前記従動ロッド５０は、湾曲されたロッドであり、その両端にはそれぞれ１つの軸穴５２が設けられている。前記軸穴５２により、前記従動ロッド５０の両端をそれぞれ前記操作側ケース１０の第二固定軸１７１又は前記表示側ケース２０の第一位置決め軸２０３に枢着する。
【００２０】
図５に示すように、前記スライド式電子装置１００を組み立てる場合、まず、一体に組み立てられたヒンジ部材３５のスリーブ３５１を前記取付用筒３３１内に固定すると共に、前記回転止め部３５３１を前記取付用筒３３１から差し出させる。それから、前記回転止め部３５３１を前記収容部３１１の中空部３１１１内に収納して、前記回転止め部３５３１を前記回転支持部材３１と共に前記連結部材３３の取付用筒３３１に相対的に回転できるようにする。このように、前記回転支持部材３１と前記連結部材３３とは、前記ヒンジ部材３５により回転可能に連結される。この際、前記回転支持部材３１と前記連結部材３３とは、折り畳み状態になり、両者の間にはほぼ０度である夾角が形成される。次に、前記第一枢着部３１３を前記操作側ケース１０の第一固定軸１５１に回転可能に枢着し、前記第二枢着部３３３を前記表示側ケース２０の第二位置決め軸２０５に回転可能に枢着する。次いで、粘着などの方式で前記連結部材３３のロッド部（図示せず）を前記表示側ケース２０に固着する。最後に、前記従動ロッド５０の両端を前記操作側ケース１０の第二固定軸１７１及び前記表示側ケース２０の第一位置決め軸２０３にそれぞれ回転可能に枢着する。
【００２１】
図６に示すように、前記スライド式電子装置１００を閉じた後、前記回転支持部材３１及び前記連結部材３３は、前記ヒンジ部材３５のトルクに駆動されて折り畳まれている。この際、前記山形部３５３５は前記凹谷３５５４に当止されている。
【００２２】
図７及び図８に示すように、前記スライド式電子装置１００を開ける場合、前記表示側ケース２０を前記操作側ケース１０に対してスライドすると、前記回転支持部材３１の第一枢着部３１３は前記操作側ケース１０の第一固定軸１５１を巡って回転するとともに、前記連結部材３３は、前記表示側ケース２０と一緒に前記回転支持部材３１に相対的に回転する。前記従動ロッド５０の両端は、それぞれ前記第二固定軸１７１、前記第一位置決め軸２０３を巡って、前記操作側ケース１０及び前記表示側ケース２０に相対的に回転する。
【００２３】
続けて前記表示側ケース２０をスライドすると、前記表示側ケース２０は前記連結部材３３を誘導して前記回転支持部材３１に対して徐々に斜めに開放される。前記ヒンジ部材３５はロック状態から解除されて、前記山形部３５３５は前記凹谷３５５４から滑り出して、前記斜面３５５６を経過して前記凸峰３５５５を滑り越えて、再び前記凹谷３５５４内に係合される。この際、前記連結部材３３と前記回転支持部材３１との間には所定の開き角度が形成され、前記表示側ケース２０の一端は前記操作側ケース１０の止め部１３に当止され、前記表示側ケース２０の他端は前記チルト機構３０と前記従動ロッド５０に支持されて傾くように立ち上がる。従って、前記表示側ケース２０の表示スクリーンは、前記操作側ケース１０に対して好ましい傾斜角度に位置決めされる。
【００２４】
前記スライド式電子装置１００を閉じる場合の作動原理は、前記スライド式電子装置１００を開ける場合とちょうど相反するから、ここで具体的な説明を省略する。
【００２５】
本発明のスライド式電子装置１００において、前記表示側ケース２０と前記操作側ケース１０との間には、前記回転支持部材３１及び前記連結部材３３を含むチルト機構３０が設置され、且つ前記ヒンジ部材３５を介して前記回転支持部材３１と前記連結部材３３との開放角度又は閉鎖角度をコントロールすることにより、前記表示側ケース２０を前記操作側ケース１０に対して斜めに開けるか又は閉鎖させる。従って、本発明のスライド式電子装置１００は卓上に置かれても、ユーザーは前記表示側ケース２０の表示スクリーンに表示される画面をはっきりと見ることができる。  
【００２６】
なお、前記連結部材３３を省略してもよい。即ち前記チルト機構３０は回転支持部材３１及びヒンジ部材３５だけを含む。この場合、前記ヒンジ部材３５のスリーブ３５１は、粘着方式で前記表示側ケース２０の第二収容溝２０４に直接に固定され、前記回転止め部３５３１は前記回転支持部材３１の収容部３１１内に収納される。前記表示側ケース２０を前記操作側ケース１０に対して閉鎖する場合、前記回転支持部材３１は前記ヒンジ部材３５のトルクにより前記表示側ケース２０に相対的に折り畳まれる。前記表示側ケース２０を前記操作側ケース１０に対して開放する場合、前記回転支持部材３１は前記ヒンジ部材３５のトルクにより前記表示側ケース２０に対して所定のリバーサル角度が形成される。
【００２７】
なお、前記従動ロッド５０を省略して、前記チルト機構３０だけで前記表示側ケース２０と前記操作側ケース１０との開閉を実現することができる。具体的に説明すると、前記表示側ケース２０は前記操作側ケース１０に対して完全に開放されると、前記ヒンジ部材３５の山形部３５３５は前記凹谷３５５４に係合されてロックされる。この場合、前記連結部材３３と前記回転支持部材３１との間には一定の角度が形成されるから、前記表示側ケース２０は支持されて前記操作側ケース１０に対して開けられる。前記表示側ケース２０は前記操作側ケース１０に対して完全に閉鎖されると、前記ヒンジ部材３５の山形部３５３５は再び前記凹谷３５５４内に滑り込んで係合される。この場合、前記連結部材３３と前記回転支持部材３１とは折り畳まれる。
【００２８】
なお、前記ヒンジ部材３５の数量は１つであってもよい。
【００２９】
なお、前記ヒンジ部材３５において、前記主軸３５３と前記従動部材３５５とは、摩擦力だけで互いに固定されることができる。即ち、前記カム面３５５２及び前記山形部３５３５を省略してもよい。
【００３０】
なお、前記スリーブ３５１を省略してもよく、前記従動部材３５５を前記取付用筒３３１に直接に装着してもよい。
【００３１】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれるものであるのがいうまでもない。
【符号の説明】
【００３２】
１０      操作側ケース
１１      上面
１３      止め部
１５      第一取付凹所
１７      第二取付凹所
２０      表示側ケース
３０      チルト機構
３１      回転支持部材
３３      連結部材
３５      ヒンジ部材
５０      従動ロッド
５２      軸穴
１００    スライド式電子装置
１５１    第一固定軸
１７１    第二固定軸
２０２    第一収容溝
２０３    第一位置決め軸
２０４    第二収容溝
２０５    第二位置決め軸
３１１    収容部
３１３    第一枢着部
３３１    取付用筒
３３３    第二枢着部
３３５    軸穴
３５１    スリーブ
３５３    主軸
３５５    従動部材
３５７    スプリング
３５９    ワッシャー
３１１１  中空部
３１３１  軸穴
３５１１  スライド溝
３５１３  貫通孔
３５３１  回転止め部
３５３２  主動部材
３５３３  フランジ
３５３４  基体部
３５３６  頂部
３５５１  円形孔
３５５２  カム面
３５５３  端面
３５５４  凹谷
３５５５  凸峰
３５５６  斜面
３５５７  突起部
【図１】
2011166742.tif 000003
【図２】
2011166742.tif 000004
【図３】
2011166742.tif 000005
【図４】
2011166742.tif 000006
【図５】
2011166742.tif 000007
【図６】
2011166742.tif 000008
【図７】
2011166742.tif 000009
【図８】
2011166742.tif 000010